(57)【要約】【課題】無線通信装置である親機、及び多段構成の複数の無線通信装置である子機からなる無線通信システムに対して、その通信環境に応じた適切な通信経路の把握及び維持を可能にする。【解決手段】通信経路管理装置４は、地図サーバ装置５から現在位置周辺の地図データを取得し、管理サーバ装置１から現在位置周辺の子機３の位置及び通信経路を取得し、表示画面の地図上に子機３のシンボル図形と通信経路を表す矢印を表示する。通信経路の変更する際、矢印を変更先の子機３のシンボル図形に向けると、通信経路変更指示が管理サーバ１及び該当子機に通知される。【選択図】図１
2019068217.tif 000002
【特許請求の範囲】
【請求項１】
無線通信装置である親機、及び多段構成の複数の無線通信装置である子機からなる無線通信システムを管理する管理サーバ装置と、通信経路管理装置と、を有する通信経路管理システムであって、
前記通信経路管理装置は、前記無線通信装置の位置及び通信経路を地図とともに表示画面に表示する経路表示手段と、前記表示画面上の通信経路に対する変更指示操作に基づいて、当該通信経路の変更指示を前記管理サーバ装置へ送信する経路変更指示送信手段と、を有する、通信経路管理システム。
【請求項２】
請求項１に記載された通信経路管理システムにおいて、
前記通信経路管理装置は、地図サーバ装置から地図データを取得する地図データ取得手段と、前記無線通信装置の位置及び通信経路を取得する経路取得手段と、を有し、
前記経路表示手段は、当該取得された位置及び通信経路並びに地図データに基づいて、前記無線通信装置の位置及び通信経路を地図とともに表示画面に表示する、通信経路管理システム。
【請求項３】
請求項２に記載された通信経路管理システムにおいて、
前記通信経路管理装置は、現在位置を取得する位置取得手段を有し、
前記地図データ取得手段は、当該取得された現在位置周辺の地図データを地図サーバ装置から取得し、前記経路取得手段は、前記取得された現在位置周辺の前記無線通信装置の位置及び通信経路を取得する、通信経路管理システム。
【請求項４】
請求項１に記載された通信経路管理システムにおいて、
前記通信経路管理装置は、前記管理サーバ装置から、現在の通信経路及び変更予定の通信経路の電界強度を取得する電界強度取得手段と、現在の通信経路及び変更予定の通信経路並びにそれらの電界強度を表示する電界強度表示手段と、を有する通信経路管理システム。
【請求項５】
請求項１に記載された通信経路管理システムにおいて、
前記通信経路管理装置は、前記変更指示に係る通信経路の変更が不可能な場合、前記表示画面にエラーメッセージを表示するエラーメッセージ表示手段を有する通信経路管理システム。
【請求項６】
無線通信装置である親機、及び多段構成の複数の無線通信装置である子機からなる無線通信システムを管理する管理サーバ装置と、通信経路管理装置と、を有する通信経路管理システムに使用される前記通信経路管理装置であって、
前記無線通信装置の位置及び通信経路を地図とともに表示画面に表示する経路表示手段と、前記表示画面上の通信経路に対する変更指示操作に基づいて、当該通信経路の変更指示を前記管理サーバ装置へ送信する経路変更指示送信手段と、を有する通信経路管理装置。
【発明の詳細な説明】
【技術分野】
【０００１】
本発明は、多段中継無線通信システムの通信経路の管理に用いて好適な通信経路管理システム及び通信経路管理装置に関する。
【背景技術】
【０００２】
管理サーバ装置と、無線通信装置である親機と、多段構成の複数の無線通信装置である子機とからなり、各子機の検針データを上位の無線通信装置経由で管理サーバ装置へ送信し、管理サーバ装置による検針データの収集を可能とした遠隔検針システムがある（特許文献１）。
【０００３】
この遠隔検針システムにおいて、管理サーバ装置−親機間の通信は携帯電話回線などの公衆回線を介して行い、「親機−１段目子機−２段目子機−・・・−Ｎ段目子機（Ｎは３以上の整数）」により構成される多段中継無線通信システム内の通信は特定小電力無線により行う。
【０００４】
管理サーバ装置は、この多段中継無線通信システムを管理しており、一般的にはその表示画面に通信経路情報を表示する際、例えば図１６に示されているようなツリー表示を採用するなどの見やすくする工夫を行っている。
【先行技術文献】
【特許文献】
【０００５】
【特許文献１】特開２０１０−８７７６１号公報
【発明の概要】
【発明が解決しようとする課題】
【０００６】
通信環境の悪化により、親機及び子機の設置当初は通信できていたものが、通信できなくなることがある。また、通信環境の変化により、より少ない中継数で通信できるようになることも想定される。しかしながら、上述したツリー表示では、通信環境を把握することはできないため、通信環境に応じて適切な通信経路を把握したり、維持したりすることができないという問題がある。
【０００７】
本発明は、このような問題を解決するためになされたものであり、その目的は、無線通信装置である親機、及び多段構成の複数の無線通信装置である子機からなる無線通信システムに対して、その通信環境に応じた適切な通信経路の把握及び維持を可能にすることである。
【課題を解決するための手段】
【０００８】
本発明は、無線通信装置である親機、及び多段構成の複数の無線通信装置である子機からなる無線通信システムを管理する管理サーバ装置と、通信経路管理装置と、を有する通信経路管理システムであって、前記通信経路管理装置は、前記無線通信装置の位置及び通信経路を地図とともに表示画面に表示する経路表示手段と、前記表示画面上の通信経路に対する変更指示操作に基づいて、当該通信経路の変更指示を前記管理サーバ装置へ送信する経路変更指示送信手段と、を有する、通信経路管理システムである。
【発明の効果】
【０００９】
本発明によれば、無線通信装置である親機、及び多段構成の複数の無線通信装置である子機からなる無線通信システムに対して、その通信環境に応じた適切な通信経路の把握及び維持が可能になる。
【図面の簡単な説明】
【００１０】
【図１】本発明の実施形態に係る通信経路管理システムの動作環境を示す図である。
【図２】図１における管理サーバ装置の概略構成を示すブロック図である。
【図３】図１における通信経路管理装置の概略構成を示すブロック図である。
【図４】本発明の実施形態に係る通信経路管理システムの動作の一例を示すシーケンス図である。
【図５】図１における通信経路管理装置の表示画面に現在位置周辺の地図、及び地図上の通信経路管理装置の現在位置が表示されている状態を示す図である。
【図６】図１における管理サーバ装置のデータベースに保持されている装置情報の例を示す図である。
【図７】図１における通信経路管理装置の表示画面に現在位置周辺の地図、無線通信装置の位置及びその現在の通信経路が表示されている状態を示す図である。
【図８】図１における通信経路管理装置の表示画面に現在位置周辺の地図、無線通信装置の位置、現在の通信経路、及び変更予定の通信経路が表示されている状態を示す図である。
【図９】図１における通信経路管理装置の表示画面に現在位置周辺の地図、無線通信装置の位置、現在の通信経路、変更予定の通信経路、及び電界強度値が表示されている状態を示す図である。
【図１０】図１における通信経路管理装置の表示画面に現在位置周辺の地図、無線通信装置の位置、現在の通信経路、変更予定の通信経路、電界強度値、及び確認メッセージが表示されている状態を示す図である。
【図１１】図１における管理サーバ装置のデータベースに保持されている経路変更後の装置情報の例を示す図である。
【図１２】図１における管理サーバ装置のデータベースに保持されている経路変更後の装置情報の別の例を示す図である。
【図１３】図１における通信経路管理装置の表示画面に現在位置周辺の地図、無線通信装置の位置、現在の通信経路、変更予定の通信経路、及びエラーメッセージが表示されている状態を示す図である。
【図１４】図１における通信経路管理装置の経路変更手順を示すフローチャートである。
【図１５】図１における通信経路管理装置の表示画面に表示されるエラーメッセージの例を示す図である。
【図１６】従来の通信経路情報の表示態様の例を示す図である。
【発明を実施するための形態】
【００１１】
以下、本発明の実施形態について図面を参照して詳細に説明する。
〈通信経路管理システムの動作環境〉
図１は、本発明の実施形態に係る通信経路管理システムの動作環境を示す図である。
【００１２】
本発明の実施形態に係る通信経路管理システムは、管理サーバ装置１及び通信経路管理装置４により構成されている。この通信経路管理システムは、無線通信装置である親機２、及び３段構成の１１台の無線通信装置である子機３からなる無線通信システムの通信経路を管理する。なお、図示した子機の段数、各段の子機数は一例であり、他の段数、他の子機数でもよい。
【００１３】
この無線通信システム内（親機−子機間、子機−子機間）の通信は特定小電力無線により行われる。また、親機２は無線や有線の公衆通信回線を含む通信ネットワークＮＷにより管理サーバ装置１に接続されている。
【００１４】
管理サーバ装置１と、無線通信システムとは、例えば各子機３に接続されたガスメータや水道メータの検針データを管理サーバ装置１に通知することにより、管理サーバ装置１による遠隔検針を行う遠隔検針システムに適用することができる。この遠隔検針システムでは、２段目以下の子機は上位の子機経由で、即ち上位の子機を中継子機として親機２を介して管理サーバ装置１へ検針データを送信する。
【００１５】
通信経路管理装置４は、タブレット端末やＰＣ（パーソナルコンピュータ）などのモバイル端末であり、通信ネットワークＮＷを介して、管理サーバ装置１及び地図サーバ装置５と通信可能である。地図サーバ装置５は、通信ネットワークＮＷを介して、管理サーバ装置１及び地図サーバ装置５に対して地図データを提供することができる。
【００１６】
次に、この通信経路管理システムの概略動作について説明する（詳細については後述する。）。
管理サーバ装置１のデータベースには、各子機３が設置されたときに、公知の方法（例えば特開２００６−２８７４６８号公報、特開２０１０−８７７６１号公報に記載）で各子機３から通知された、中継段数、通信経路（通信相手装置である直上位の無線通信装置）、通信相手装置からの電波の電界強度などの装置情報が登録されている。
【００１７】
通信経路管理装置４は、地図サーバ装置５から、例えば現在位置周辺（現在位置及びその周辺）の地図データを取得して表示し、表示されている地図の中心（例えば現在位置）から所定の半径内に存在する無線通信装置の装置情報を管理サーバ装置１から取得する。
【００１８】
そして、取得された装置情報を基に、表示画面に表示されている地図上に無線通信装置のシンボル図形、通信経路としてのシンボル図形間の矢印、及び電界強度値を重ねて表示する。
【００１９】
通信経路管理装置４のユーザは、無線通信装置の周辺の建物などの地理的特徴、電界強度などの情報から、ある無線通信装置の通信経路、即ち通信相手装置を変更する場合、矢印の方向を変更先の無線通信装置のシンボル図形の方向に変更する入力操作（変更指示操作）を行う。この入力操作に基づく通信経路変更指示が通信経路管理装置４から管理サーバ装置１に通知され、管理サーバ装置１から無線通信装置に通知される。
【００２０】
〈管理サーバ装置の構成〉
図２は、図１における管理サーバ装置の概略構成を示すブロック図である。
管理サーバ装置１は、制御部１１と、それぞれが制御部１１に接続された記憶部１２、通信部１３、表示部１４、及び操作入力部１５を備えている。
【００２１】
制御部１１は、例えばマイクロプロセッサ及びその周辺回路等で構成され、管理サーバ装置１全体の制御や演算処理等を行う。
【００２２】
記憶部１２は、ＲＯＭなどの不揮発性メモリ、フラッシュメモリやハードディスク等の書換え可能な不揮発性メモリ、ＲＡＭ等の揮発性メモリからなる。そして、ＲＯＭには管理サーバ装置１を動作させるために必要な制御プログラムなどが格納されている。また、ＲＡＭには制御部１１が実行中の各プログラムや、それらの実行に必要な情報が格納される。また、書換え可能な不揮発性メモリには登録した各子機３の装置情報（装置番号、通信経路、中継段数、電界強度等）及び各子機３に接続された外部機器に関する情報等からなる管理データテーブルや、親機２の装置番号など、通信に必要なシステムに関する情報等が格納される。具体例については後述する。
【００２３】
通信部１３は、通信ネットワークＮＷを介して親機２、通信経路管理装置４、及び地図サーバ装置５と通信を行うことができる。表示部１４は、例えば液晶ディスプレイ（ＬＣＤ）であり、当該無線通信システムに関する情報や子機３に接続された外部機器に関する情報、管理サーバ装置１への入力時の操作画面等を表示する。操作入力部１５は、各種データや命令等を管理サーバ装置１に対して外部から入力するキーボードやマウス等の入力手段を有する。
【００２４】
〈通信経路管理装置の構成〉
図３は、図１における通信経路管理装置の概略構成を示すブロック図である。
通信経路管理装置４は、制御部４１と、それぞれが制御部４１に接続された記憶部４２、通信部（アンテナを含む）４３、表示部４４、操作入力部４５、及び位置測定部４６を備えている。
【００２５】
制御部４１は、例えばマイクロプロセッサ及びその周辺回路等で構成され、通信経路管理装置４全体の制御や演算処理等を行う。また、制御部４１は、記憶部４２に格納されたプログラムやデータを用いて各部を制御することにより、請求項に係る経路表示手段、経路変更指示送信手段、地図データ取得手段、経路取得手段、位置取得手段、電界強度取得手段、電界強度表示手段、及びエラーメッセージ表示手段を実現する。
【００２６】
記憶部４２は、ＲＯＭなど不揮発性メモリ、フラッシュメモリ等の書換え可能な不揮発性メモリ、ＲＡＭ等の揮発性メモリからなる。そして、ＲＯＭには通信経路管理装置４を動作させるために必要な制御プログラムが格納されている。また、ＲＡＭには制御部４１が実行中の各プログラムや、それらの実行に必要な情報が格納される。また、書換え可能な不揮発性メモリには、無線通信装置の通信経路の表示や変更等を実行するためのプログラムや各種設定データなどが格納される。
【００２７】
通信部４３は通信ネットワークＮＷを介して管理サーバ装置１及び地図サーバ装置５と通信を行うことができる。表示部４４は、ＬＣＤ等で構成されており、通信経路管理装置４の動作状態等を表示するユーザＩ／Ｆである。操作入力部４５は、ボタンやスイッチ、タッチパネルからなり、通信経路管理装置４に対する所定の設定を入力するためのユーザＩ／Ｆである。位置測定部４６はＧＰＳ衛星などからの電波を使用して、通信経路管理装置４の現在位置を測定する。
【００２８】
〈通信経路管理システムの動作〉
次に本発明の実施形態に係る通信経路管理システムの動作の一例について説明する。
【００２９】
図４は、本発明の実施形態に係る通信経路管理システムの動作の一例を示すシーケンス図である。ここでは、子機３のうち、装置番号０００３の子機の通信経路を変更する場合について説明する。
【００３０】
なお、このシーケンス図に示されている手順を実行する前提として、通信経路管理装置４は、位置測定部４６により測定した現在位置周辺の地図データを地図サーバ装置５から取得し、表示部４４の表示画面に現在位置周辺の地図と通信経路管理装置４の現在位置を表示しているものとする。図５はこの状態を示す図である。図示のように、表示画面１００には道路及び建物を含む地図１１０が表示され、地図１１０の中心に通信経路管理装置４の現在位置を表すポインタ１２０が表示されている。なお、ここで表示する地図１１０を現在位置周辺に代えて所定の場所とし、通信経路管理装置４の現在位置を表すポインタ１２０に代えて地図の中心位置のポインタを表示してもよい。
【００３１】
この状態において、通信経路管理装置４のユーザは、操作入力部４５から所定の入力操作を行うと、通信経路管理装置４は管理サーバ装置１に対して、現在位置又は地図の中心から所定の半径内に存在する無線通信装置の装置情報（装置番号、経路情報、中継段数、電界強度等）を要求するための装置情報要求を送信する（手順Ｓ１）。
【００３２】
管理サーバ装置１は、通信経路管理装置４からの装置情報要求に基づいて、データベースから該当する装置情報を検索し（手順Ｓ２）、装置情報を含む装置情報応答を通信経路管理装置４へ送信する（手順Ｓ３）。
【００３３】
図６は、図１における管理サーバ装置のデータベースに保持されている装置情報の例を示す図である。図示のように、装置情報は、装置番号、需要家情報（住所）、通信相手装置（装置番号、中継段数、電界強度）、通信可能装置（装置番号、中継段数、電界強度）からなる。ここで、需要家情報（住所）は、無線通信装置の設置時に登録された情報であり、ＧＰＳ衛星からの電波を用いて測定した位置情報を含む。手順Ｓ３により、この装置情報が通信経路管理装置４へ送信される。
【００３４】
通信経路管理装置４は、管理サーバ装置１から取得した装置情報を記憶部４２に格納するとともに、その装置情報を基に、表示部４４の表示画面の地図上に該当する無線通信装置の位置及び現在の通信経路をプロットし、重ねて表示する（手順Ｓ４）。
【００３５】
図７は、手順Ｓ４の実行により表示部４４に表示される表示画面を示す図である。
図示のように、表示画面１００には地図１１０が表示され、地図１１０上には、装置番号０００１，０００２，０００３，０００４，１０００の各無線通信装置を表すシンボル図形（アイコン）が表示されている。また、地図１１０の下には「現在の経路情報」との文字が表示されている。以下、装置番号０００１，０００２，０００３，０００４，１０００の無線通信装置を無線通信装置０００１，無線通信装置０００２，無線通信装置０００３，無線通信装置０００４、無線通信装置１０００と言う。
【００３６】
また、地図１１０上には無線通信装置０００１の通信経路、即ち通信相手先の無線通信装置が無線通信装置０００２であることを表す矢印である、基端が無線通信装置０００１側に位置し、先端が無線通信装置０００２側に位置する矢印１３１が表示されている。また、無線通信装置０００２，０００３，０００４の通信経路を表す同様な矢印１３２，１３３，１３４も表示されている。
【００３７】
図４の説明に戻る。次に通信経路管理装置４のユーザは、地図１１０上の無線通信装置０００３の通信経路を表す矢印１３３と建物との位置関係から、現在の通信経路では通信が不安定にある可能性があると判断する。これに対して、無線通信装置１０００との間には障害物が無いので、電界強度が多少低くても安定な通信ができると判断し、通信経路の変更を検討する。
【００３８】
そこで、通信経路管理装置４のユーザは、図８に示されているように、無線通信装置０００３の現在の通信経路を表す矢印１３３を、無線通信装置１０００のシンボル図形を向いた矢印１３５に移動した後、管理サーバ装置１から電界強度を取得するための所定の入力操作を行う。通信経路管理装置４は、この入力操作に基づいて、管理サーバ装置１に対して、無線通信装置０００３における無線通信装置０００２及び１０００からの電波の電界強度を要求するための電界強度要求を送信する（手順Ｓ５）。
【００３９】
管理サーバ装置１は、電界強度要求に基づいて、無線通信装置０００３に対して、無線通信装置０００２，１０００の現在の電界強度の取得を指示するための電界強度取得指示を送信する（手順Ｓ６）。
【００４０】
無線通信装置０００３は、電界強度取得指示に基づいて、無線通信装置０００２，１０００からの電波の電界強度を取得し、その電界強度値を含む電界強度取得応答を管理サーバ装置１へ送信する（手順Ｓ７）。管理サーバ装置１は、電界強度取得応答を受信し、電界強度値を含む電界強度応答を通信経路管理装置４へ送信する（手順Ｓ８）。通信経路管理装置４は、管理サーバ装置１から取得した電界強度値を基に、表示部４４の表示画面１００の地図１１０上に無線通信装置０００２，１０００の現在の電界強度値を表示する（手順Ｓ９）。
【００４１】
図９は、手順Ｓ９の実行により表示部４４に表示される表示画面を示す図である。
図示のように、無線通信装置０００２，１０００の現在の電界強度値（ＲＳＳＩ：６，ＲＳＳＩ：４）が矢印１３３，１３５の横に表示されている。
【００４２】
次に、通信経路管理装置４のユーザは、無線通信装置０００３の通信相手装置を無線通信装置０００２から無線通信装置１０００に変更するため、図９に示されている表示画面１００上の矢印１３３を矢印１３５の位置に移動する操作を行う。
【００４３】
この操作により、表示画面１００は図１０に示されている内容に変化する。図示のように、矢印１３３が点線に変化し、矢印１３５が実線に変化する。また、「経路を変更しますか？」との確認メッセージ１４０、実施ボタン１４１、及びキャンセルボタン１４２が表示されている。ここで実施ボタン１４１が押下されたものとする。
【００４４】
図４の説明に戻る。通信経路管理装置４は、実施ボタン１４１の押下に基づいて、管理サーバ装置１に対して、通信相手装置を無線通信装置０００２から１０００に変更することを指示するための通信先変更指示（経路変更指示）を送信する（手順Ｓ１０）。
【００４５】
管理サーバ装置１は、通信経路管理装置４からの通信先変更指示を受信し、無線通信装置０００３に対して、通信相手装置を無線通信装置０００２から１０００に変更することを指示するための通信先変更指示を送信する（手順Ｓ１１）。
【００４６】
無線通信装置０００３は、管理サーバ装置１からの通信先変更指示に基づいて、通信相手装置を無線通信装置０００２から１０００に変更する通信先変更処理（手順Ｓ１２）を実行し、管理サーバ装置１に対して、通信相手装置を無線通信装置０００２から１０００に変更したことを通知する通信先変更応答を送信する（手順Ｓ１３）。
【００４７】
管理サーバ装置１は、無線通信装置０００３からの通信先変更応答を受信し、通信経路管理装置４に対して、通信先変更応答を送信する（手順Ｓ１４）。通信経路管理装置４では、通信先変更応答を受信することで、表示部４４に表示されている表示画面１００における無線通信装置０００３の現在の通信経路が図１０における矢印１３５となる。
【００４８】
また、この通信先変更により、管理サーバ装置１の記憶部１２内のデータベース上の装置情報、及び通信経路管理装置４の記憶部４２に保持されている装置情報が図１１及び図１２に示されている内容に変更される。
【００４９】
即ち、図１１に示されているように、装置番号０００３の通信相手装置欄の内容が通信可能装置欄の装置番号１０００の内容に書き換えられる。また、図１２に示されているように、通信可能装置欄の装置番号０００３の中継段数が１に書き換えられる。
【００５０】
ここで、変更予定先の通信相手装置が変更不可能な場合について説明する。
図１３は、図１における通信経路管理装置の表示画面に現在位置周辺の地図、無線通信装置の位置、現在の通信経路、変更予定の通信経路、及びエラーメッセージが表示されている状態を示す図である。
【００５１】
ここでは、無線通信装置０００３の通信相手装置を無線通信装置０００１に変更しようとして、矢印１３３を矢印１３６の位置にドラッグ＆ドロップしたときに、「中継数オーバーのため経路変更できません」とエラーメッセージ１５０を表示している。また、矢印１３６の変更不可能なことを表す色（例えばグレー）で表示する。
【００５２】
〈通信経路管理装置の経路変更手順のフロー〉
図１４は、図１における通信経路管理装置の経路変更手順を示すフローチャートである。このフローは、通信経路管理装置４の表示部４４に例えば図９に示されている表示画面１００が表示されているときにスタートする。
【００５３】
まず制御部４１は、記憶部４２で保持されている装置情報を参照して、経路変更の移動先の無線通信装置が中継可能か否かを判断する（ステップＳＴ１）。そして、中継可能と判断した場合は（ステップＳＴ１：Yes）、経路変更を実施する確認メッセージを表示部４４に表示させる（ステップＳＴ２）。一方、中継不可能と判断した場合は（ステップＳＴ１：No）、経路変更不可能のメッセージ（エラーメッセージ）を表示部４４に表示させる（ステップＳＴ３）。
【００５４】
ここで、確認メッセージ、エラーメッセージは、それぞれ例えば図１０、図１３に示されているものである。エラーメッセージの複数の例を図１５に示す。図１５において、エラーメッセージ１は、図１３に示されているものである。エラーメッセージ１〜４は、それぞれ下記の場合に表示される。
１：中継数の最大値（例えば４段）を超える場合
２：接続に必要とされる電界強度値が閾値を下回る場合
３：通信頻度が高まり、電池の消耗が促進される場合
４：接続されている子機数が閾値を上回る場合
【００５５】
制御部４１は、ステップＳＴ２を実行した場合は、次に経路変更を実施するか否かを判断する（ステップＳＴ４）。この判断は、例えば図１０における実施ボタン１４１が押下されたかキャンセルボタン１４２が押下されたかに基づいて行う。そして、実施すると判断した場合は（ステップＳＴ４：Yes）、経路変更処理（ステップＳＴ５）を実施した後、この図に示されているフローを終了させる。一方、実施しないと判断した場合は（ステップＳＴ４：No）、そのままこの図に示されているフローを終了させる。また、ＳＴ３を実行した場合も、そのままこの図に示されているフローを終了させる。
【００５６】
以上詳細に説明したように、本発明の実施形態に係る通信経路管理システムにより、下記（１）〜（４）の効果が得られる。
（１）無線通信装置の周辺の地形的特長や周辺の無線通信装置の場所などを見える化することができる。
（２）見える化することで、現場の状況に応じて柔軟に通信経路を管理することができるようになる。
（３）通信経路が変更できない場合は、エラーメッセージを表示することで、その旨をユーザに知らせることができる。
（４）リアルタイムに電界強度を取得し、表示することで、現状態で最適な通信経路の管理が可能となる。
【００５７】
〈変形例〉
（i）通信経路が変更できない場合は、矢印が動かないようにする。
（ii）無線通信装置に接続されているセンサなどの情報を表示する。
（iii）電界強度を周期的に取得し、矢印と共にグラフを表示することで、長期的な電界強度を把握し、より適切な通信経路の管理を可能とする。
（iv）図４における手順Ｓ５〜Ｓ９を省略する、又は実行するかしないかを選択可能にする。
【符号の説明】
【００５８】
１…管理サーバ装置、２…親機、３…子機、４…通信経路管理装置、４１…制御部、４３…通信部、４４…表示部、４５…操作入力部、４６…位置測定部。
【図１】
2019068217.tif 000003
【図２】
2019068217.tif 000004
【図３】
2019068217.tif 000005
【図４】
2019068217.tif 000006
【図５】
2019068217.tif 000007
【図６】
2019068217.tif 000008
【図７】
2019068217.tif 000009
【図８】
2019068217.tif 000010
【図９】
2019068217.tif 000011
【図１０】
2019068217.tif 000012
【図１１】
2019068217.tif 000013
【図１２】
2019068217.tif 000014
【図１３】
2019068217.tif 000015
【図１４】
2019068217.tif 000016
【図１５】
2019068217.tif 000017
【図１６】
2019068217.tif 000018